(57)【要約】【課題】  農作業機が、それを使用するほ場に見合ったものであるか否かを判断し易くすることのできる好適な農作業機選定用のシミュレーションを可能にする。【解決手段】  作業条件入力部１９，６０，１０１，１４３に入力された定性的情報に基づいて、予め備えたほ場作業効率を補正し、立地条件入力部２０，６１，１０２，１４４に入力された定性的情報に基づいて、予め備えた実作業率を補正し、作業幅入力部２４，１４７又は条数入力部６４，１０５に入力された定量的情報と、作業速度入力部２５，６６，１０７，１４８に入力された定量的情報と、１日の作業時間に関する定量的情報が入力される時間入力部２６，６７，１０８，１４９に入力された定量的情報と、補正後のほ場作業効率と、補正後の実作業率とに基づいて、農作業機のほ場作業量と作業能率とを算出するように構成する。【選択図】        図４
2008173019.tif 000002
【特許請求の範囲】
【請求項１】
作業条件に関する情報の定性的な選択入力を可能にする作業条件入力部と、立地条件に関する情報の定性的な選択入力を可能にする立地条件入力部とを備え、
前記作業条件入力部に入力された定性的情報に基づいて、予め備えたほ場作業効率を補正し、前記立地条件入力部に入力された定性的情報に基づいて、予め備えた実作業率を補正し、
農作業機の作業幅に関する定量的情報が入力される作業幅入力部又は条数入力部と、農作業機の作業速度に関する定量的情報が入力される作業速度入力部と、１日の作業時間に関する定量的情報が入力される時間入力部とを備え、
前記作業幅入力部又は前記条数入力部に入力された定量的情報と、前記作業速度入力部に入力された定量的情報と、前記時間入力部に入力された定量的情報と、補正後のほ場作業効率と、補正後の実作業率とに基づいて、農作業機のほ場作業量と作業能率とを算出するように構成してあることを特徴とする適正農作業機選定用のシミュレーション装置。
【請求項２】
前記作業条件入力部に入力される作業条件に関する情報を、ほ場の大きさに関する情報、ほ場の形に関する情報、ほ場の乾湿に関する情報、及び、オペレータの熟練度とし、
前記立地条件入力部に入力される作業条件に関する情報を、ほ場の分散度に関する情報、及び、ほ場までの距離に関する情報としてあることを特徴とする請求項１に記載の適正農作業機選定用のシミュレーション装置。
【請求項３】
前記作業条件入力部に入力される作業条件に関する情報のうち、農作業機のほ場作業量に対する影響の大きい作業条件に関する情報による補正値を、農作業装置のほ場作業量に対する影響の小さい作業条件に関する情報による補正値よりも、補正量が大きくなるように設定してあることを特徴とする請求項１又は２に記載の適正農作業機選定用のシミュレーション装置。
【請求項４】
前記立地条件入力部に入力される作業条件に関する情報のうち、農作業装置の実作業時間に対する影響の大きい立地条件に関する情報による補正値を、農作業装置の実作業時間に対する影響の小さい立地条件に関する情報による補正値よりも、補正量が大きくなるように設定してあることを特徴とする請求項１〜３のいずれか一つに記載の適正農作業機選定用のシミュレーション装置。
【発明の詳細な説明】
【技術分野】
【０００１】
本発明は、適正なトラクタや田植機などの農作業機の選定を可能にするシミュレーション装置に関する。
【背景技術】
【０００２】
近年では、農作業の機械化によって、労働時間の短縮や重労働からの解放とともに、適期作業の実施や作業精度の向上などから、農作物の収量の増加や品質の向上などを図れるようになっている。
【０００３】
しかしながら、トラクタ、田植機、コンバインなどの農作業機は、作物生産の季節性や気象条件だけでなく、地域の農業の形態や作物の生育適期間などによって、その利用期間が制約されるものであることから、農作業機を効率的かつ経済的に利用するためには、導入する農作業機が、制約された期間内において、どれだけの作業遂行能力を発揮できるものであるかを把握する必要がある。
【０００４】
そこで、従来から、農作業機の作業幅と作業速度とから得られる理論作業量を、理論作業量とほ場作業量との比であるほ場作業効率で補正して、農作業機の１時間当たりのほ場作業量を算出することや、その算出した１時間当たりのほ場作業量に、一日の作業時間を実作業率で補正して得られる一日の実作業時間を掛け合わせて、農作業機の１日当たりのほ場作業量を算出することなどによって、農作業機の作業能率を把握することが考えられている。又、所定の入力欄に、農作業機の作業幅、作業速度、ほ場作業効率、一日の作業時間、実作業率、などを数値入力することで、農作業機の１時間当たりのほ場作業量や１日当たりのほ場作業量などを自動算出するように構成された計算プログラムなどもインターネットで配信されている（例えば非特許文献１参照）。
【非特許文献１】社会法人  日本農業機械化協会  「農業機械導入利用安全指導ハンドブック」  平成１４年２月出版
【発明の開示】
【発明が解決しようとする課題】
【０００５】
つまり、購入予定の農作業機の作業幅や作業速度、ほ場作業効率、一日の作業時間、実作業率、などの数値を、上記の計算方法に基づく計算式に代入する、あるいは、計算プログラムの入力欄に入力すれば、購入予定の農作業機の作業能率を把握することができる。
【０００６】
ところで、ほ場作業効率は、ほ場での旋回あるいは燃料補給などの間接作業に要する時間の損失に伴って低下する作業能率の度合いを表すものであり、時間の損失は、作業の種類や種々の作業条件などによって異なるものである。
【０００７】
実作業率は、一日の作業時間に対する実作業時間の割合を表すものであり、実作業時間は、一日の作業時間から農作業機の運搬や作業装置の着脱などに要する時間を差し引いた、実際にほ場で作業を行うことが可能な時間であり、作業の種類や実施時期、ほ場に関する種々の立地条件、などによって異なるものである。
【０００８】
つまり、購入予定の農作業機の作業能率を、その農作業機のユーザーとなる農作業者が把握するためには、農作業者自信が、その農作業機を使用するほ場に関する種々の作業条件や立地条件などを考慮して、それらに見合った適正なほ場作業効率や実作業率を決定する必要がある。
【０００９】
しかしながら、多くの農作業者は、農作業機を使用するほ場に関する種々の作業条件や立地条件などを定性的には把握していても、定量的には把握していないことから、種々の作業条件や立地条件などに見合った適正なほ場作業効率や実作業率の設定に苦慮することになり、又、そのため、得られた農作業機の作業能率に疑念を抱き易くなり、上記の計算方法に基づく計算式やプログラムで得られた農作業機の作業能率から、その農作業機が、それを使用するほ場に見合ったものであるか否かを判断することが難しくなる。
【００１０】
本発明の目的は、上記の計算方法に基づいて得られる農作業機の作業能率から、その農作業機が、それを使用するほ場に見合ったものであるか否かを判断し易くすることのできる好適な農作業機選定用のシミュレーションを可能にすることにある。
【課題を解決するための手段】
【００１１】
上記の目的を達成するため、本発明のうちの請求項１に記載の発明では、作業条件に関する情報の定性的な選択入力を可能にする作業条件入力部と、立地条件に関する情報の定性的な選択入力を可能にする立地条件入力部とを備え、前記作業条件入力部に入力された定性的情報に基づいて、予め備えたほ場作業効率を補正し、前記立地条件入力部に入力された定性的情報に基づいて、予め備えた実作業率を補正し、農作業機の作業幅に関する定量的情報が入力される作業幅入力部又は条数入力部と、農作業機の作業速度に関する定量的情報が入力される作業速度入力部と、１日の作業時間に関する定量的情報が入力される時間入力部とを備え、前記作業幅入力部又は前記条数入力部に入力された定量的情報と、前記作業速度入力部に入力された定量的情報と、前記時間入力部に入力された定量的情報と、補正後のほ場作業効率と、補正後の実作業率とに基づいて、農作業機のほ場作業量と作業能率とを算出するように構成してあることを特徴とする。
【００１２】
この特徴構成によると、作業条件に関する情報及び立地条件に関する情報の入力を定性的な表現を用いた選択操作式、例えば、作業条件に関する情報の一つであるほ場の形を、悪い、普通、良い、の中から選ぶといった選択操作式にしたことで、作業条件に関する情報の一つであるほ場の形を数値化して入力させる場合に比較して、作業条件に関する情報及び立地条件に関する情報を入力する際の考察時間の短縮を図りながら、的確な作業条件に関する情報及び立地条件に関する情報を入力させることができ、作業条件に関する情報及び立地条件に関する情報を考慮して算出される農作業機の作業能率及びほ場作業量を信頼性の高いものにすることができる。
【００１３】
従って、農作業機を使用するほ場の作業条件や立地条件が適正に考慮された農作業機選定用のシミュレーションを簡単に行うことができ、その作業条件や立地条件に応じた適正な農作業機を容易に選定することができる。
【００１４】
本発明のうちの請求項２に記載の発明では、上記請求項１に記載の発明において、前記作業条件入力部に入力される作業条件に関する情報を、ほ場の大きさに関する情報、ほ場の形に関する情報、ほ場の乾湿に関する情報、及び、オペレータの熟練度とし、前記立地条件入力部に入力される作業条件に関する情報を、ほ場の分散度に関する情報、及び、ほ場までの距離に関する情報としてあることを特徴とする。
【００１５】
この特徴構成では、農作業機の作業能率及びほ場作業量に影響を及ぼす多数の作業条件に関する情報のうち、過去の試験結果などから得られた、農作業機の作業能率及びほ場作業量に対する影響の大きい４つの作業条件情報、つまり、ほ場の大きさに関する情報、ほ場の形に関する情報、ほ場の乾湿に関する情報、オペレータの熟練度、のみを入力させ、又、農作業機の作業能率及びほ場作業量に影響を及ぼす多数の立地条件に関する情報のうち、過去の試験結果などから得られた、農作業機の作業能率及びほ場作業量に対する影響の大きい２つの立地条件情報、つまり、ほ場の分散度に関する情報、ほ場までの距離に関する情報、のみを入力させるようにしていることから、作業条件に関する情報及び立地条件に関する情報の入力に要する手間の削減を図りながら、作業条件及び立地条件を考慮して算出される農作業機の作業能率及びほ場作業量を信頼性の高いものにすることができる。
【００１６】
従って、農作業機を使用するほ場の作業条件や立地条件が適正に考慮された農作業機選定用のシミュレーションをより簡単に行えるようにしながら、その作業条件や立地条件に応じた適正な農作業機を容易に選定することができる。
【００１７】
本発明のうちの請求項３に記載の発明では、上記請求項１又は２に記載の発明において、前記作業条件入力部に入力される作業条件に関する情報のうち、農作業機のほ場作業量に対する影響の大きい作業条件に関する情報による補正値を、農作業装置のほ場作業量に対する影響の小さい作業条件に関する情報による補正値よりも、補正量が大きくなるように設定してあることを特徴とする。
【００１８】
この特徴構成によると、作業条件入力部に入力される作業条件に関する情報のうち、過去の試験結果などから得られた、農作業機の作業能率及びほ場作業量に対する影響の大きい作業条件に関する情報による補正値を、影響の小さい作業条件に関する情報による補正値よりも補正量を大きくすることから、作業条件を考慮して算出される農作業機の作業能率及びほ場作業量をより信頼性の高いものにすることができる。
【００１９】
従って、農作業機を使用するほ場の作業条件がより適正に考慮された農作業機選定用のシミュレーションを行うことができ、作業条件に対してより適正な農作業機を容易に選定することができる。
【００２０】
本発明のうちの請求項４に記載の発明では、上記請求項１〜３のいずれか一つに記載の発明において、前記立地条件入力部に入力される作業条件に関する情報のうち、農作業装置の実作業時間に対する影響の大きい立地条件に関する情報による補正値を、農作業装置の実作業時間に対する影響の小さい立地条件に関する情報による補正値よりも、補正量が大きくなるように設定してあることを特徴とする。
【００２１】
この特徴構成によると、立地条件入力部に入力される立地条件に関する情報のうち、過去の試験結果などから得られた、農作業機の実作業時間に対する影響の大きい立地条件に関する情報による補正値を、影響の小さい立地条件に関する情報による補正値よりも補正量を大きくすることから、立地条件を考慮して算出される農作業機の作業能率及びほ場作業量をより信頼性の高いものにすることができる。
【００２２】
従って、農作業機を使用するほ場の立地条件がより適正に考慮された農作業機選定用のシミュレーションを行うことができ、立地条件に対してより適正な農作業機を容易に選定することができる。
【発明を実施するための最良の形態】
【００２３】
〔第１実施形態〕
【００２４】
図１には、本発明にかかわる適正農作業機選定用のシミュレーション装置１の構成を示すブロック図が示されている。このシミュレーション装置１は、制御装置２、演算装置３、主記憶装置４、補助記憶装置５、キーボード６、マウス７、ディスプレイ８、及びプリンタ９、などを備えて構成されたパーソナルコンピュータ１０と、補助記憶装置５に記憶した適正農作業機選定シミュレーション用の制御プログラムや種々のデータなどによって構成されている。
【００２５】
そして、マウス７の操作によって適正農作業機選定シミュレーション用の制御プログラムの実行が指令されると、制御装置２が、その制御プログラムを補助記憶装置５から読み込み、その制御プログラムに基づいて、各種装置３〜９の作動や種々のデータの受け渡しなどを制御する。
【００２６】
図２〜図１８には、シミュレーション装置１のディスプレイ８で表示される表示画面が示されている。以下、これらの図面を参照しながら、ディスプレイ８で表示される表示画面の表示内容について説明する。
【００２７】
図２に示すように、適正農作業機選定シミュレーション用の制御プログラムに基づいて、制御装置２が制御作動を開始すると、それに伴って、メインメニュー画面１１がディスプレイ８で表示される。
【００２８】
メインメニュー画面１１には、「トラクタ」と表示された第１選択ボタン１２、「田植機」と表示された第２選択ボタン１３、「自脱形コンバイン」と表示された第３選択ボタン１４、及び、「普通形コンバイン」と表示された第４選択ボタン１５、が表示されている。
【００２９】
マウス７の人為操作によって第１選択ボタン１２が操作されると、その操作に基づく制御装置２の制御作動で、トラクタ選定用のシミュレーションが開始され、ディスプレイ８で表示される画面が、メインメニュー画面１１からトラクタ用の条件設定画面１６（図３参照）に切り換わる。
【００３０】
図３に示すように、トラクタ用の条件設定画面１６には、基本情報を入力するための基本情報入力部１７、作業内容に関する情報を入力するための作業内容入力部１８、作業条件に関する情報を入力するための作業条件入力部１９、立地条件に関する情報を入力するための立地条件入力部２０、年間作業面積を表示するための年間作業面積表示部２１、などが表示されている。
【００３１】
基本情報入力部１７には、シミュレーションするトラクタの馬力、燃料費、オペレータの労賃、を入力するためのそれぞれの入力欄（符号無し）が表示されている。それらの各入力欄には、それぞれに対応する数値がキーボード６の人為操作によって入力される。トラクタの馬力として入力される数値はカタログに記載された数値である。燃料費やオペレータの労賃として入力される数値は地域などによって異なるものである。
【００３２】
作業内容入力部１８には、トラクタにロータリ耕耘装置を連結して行う耕耘作業の作業面積と作業回数、トラクタに水田プラウを連結して行うプラウ作業の作業面積と作業回数、トラクタに代かきハローを連結して行う代かき作業の作業面積と作業回数、トラクタに施肥装置や播種装置を連結して行う施肥・播種作業の作業面積と作業回数、を入力するためのそれぞれの入力欄（符号無し）が表示されている。それらの各入力欄には、それぞれに対応する数値がキーボード６の人為操作によって入力される。
【００３３】
作業条件入力部１９には、トラクタの作業能率及びほ場作業量に影響を及ぼす多数の作業条件に関する情報のうちの影響が大きい、ほ場の大きさ、ほ場の形、ほ場の乾湿、オペレータの熟練度、の４つの作業条件情報、ほ場の大きさの定性的な選択入力を可能にする「小」「中」「大」の３つの選択ボタン（符号無し）、ほ場の形の定性的な選択入力を可能にする「悪い」「普通」「良い」の３つの選択ボタン（符号無し）、ほ場の乾湿の定性的な選択入力を可能にする「湿田」「半湿」「乾田」の３つの選択ボタン（符号無し）、オペレータの熟練度の定性的な選択入力を可能にする「低」「普通」「高」の３つの選択ボタン（符号無し）、がそれぞれ表示されている。これらの各選択ボタンの選択操作はマウス７の人為操作によって行われる。
【００３４】
立地条件入力部２０には、トラクタの作業能率及びほ場作業量に影響を及ぼす多数の立地条件に関する情報のうちの影響が大きい、ほ場の分散度、ほ場までの距離、の２つの立地条件情報、ほ場の分散度の定性的な選択入力を可能にする「多」「普通」「小」の３つの選択ボタン（符号無し）、ほ場までの距離の定性的な選択入力を可能にする「遠」「普通」「近」の３つの選択ボタン（符号無し）、がそれぞれ表示されている。これらの各選択ボタンの選択操作はマウス７の人為操作によって行われる。
【００３５】
年間作業面積表示部２１には、耕耘作業、プラウ作業、代かき作業、施肥・播種作業の各年間作業面積、を表示するためのそれぞれの表示欄が表示されている。
【００３６】
トラクタ用の条件設定画面１６における符号２２は、次画面への切り換え用として表示された操作ボタンであり、この操作ボタン２２がマウス７の人為操作によって操作されると、その操作に基づく制御装置２の制御作動によって、ディスプレイ８で表示される画面が、トラクタ用の条件設定画面１６からトラクタ用のほ場作業量＆作業能率画面２３（図４参照）に切り換わる。
【００３７】
図４に示すように、トラクタ用のほ場作業量＆作業能率画面２３には、作業幅に関する情報を入力するための作業幅入力部２４、作業速度を入力するための作業速度入力部２５、１日の作業時間を入力するための時間入力部２６、年間作業面積を表示するための年間作業面積表示部２７、ほ場作業効率を表示するためのほ場作業効率表示部２８、実作業率を表示するための実作業率表示部２９、各作業装置による１時間当たりのほ場作業量を表示するための第１ほ場作業量表示部３０、各作業装置による１日当たりの実作業時間を表示するための実作業時間表示部３１、各作業装置による１日当たりのほ場作業量を表示するための第２ほ場作業量表示部３２、各作業装置の作業能率を表示するための作業能率表示部３３、などが表示されている。
【００３８】
作業幅入力部２４には、トラクタに連結して使用するロータリ耕耘装置の作業幅、トラクタに連結して使用する水田プラウの刃幅と連数、トラクタに連結して使用する代かきハローの作業幅、トラクタに連結して使用する施肥装置や播種装置の作業幅、を入力するためのそれぞれの入力欄、及び、水田プラウの作業幅、を表示するための表示欄が表示されている。各入力欄には、それぞれに対応する数値がキーボード６の人為操作によって入力される。各作業装置の作業幅、刃幅、連数として入力される各数値はカタログに記載された数値である。
【００３９】
作業速度入力部２５には、トラクタにロータリ耕耘装置を連結して行う耕耘作業時の作業速度、トラクタに水田プラウを連結して行うプラウ作業時の作業速度、トラクタに代かきハローを連結して行う代かき作業時の作業速度、トラクタに施肥装置や播種装置を連結して行う施肥・播種作業時の作業速度、を入力するためのそれぞれの入力欄が表示されている。それらの各入力欄には、それぞれに対応する数値がキーボード６の人為操作によって入力される。各作業時の作業速度として入力される数値はカタログに記載された数値であり、過去の試験結果などから得た補正値によって、作業精度を落とさない適正な速度に補正される。
【００４０】
時間入力部２６には、各作業装置による１日の作業時間がキーボード６の人為操作によって数値入力される。１日の作業時間は地域などによって異なるものである。
【００４１】
トラクタ用のほ場作業量＆作業能率画面２３における符号３４は、次画面への切り換え用として表示された操作ボタンであり、この操作ボタン３４がマウス７の人為操作によって操作されると、その操作に基づく制御装置２の制御作動によって、ディスプレイ８で表示される画面が、トラクタ用のほ場作業量＆作業能率画面２３からトラクタ用の年間機械利用経費画面３５（図５参照）に切り換わる。
【００４２】
トラクタ用のほ場作業量＆作業能率画面２３における符号３６は、前画面への切り換え用として表示された操作ボタンであり、この操作ボタン３６がマウス７の人為操作によって操作されると、その操作に基づく制御装置２の制御作動によって、ディスプレイ８で表示される画面が、トラクタ用のほ場作業量＆作業能率画面２３からトラクタ用の条件設定画面１６（図３参照）に戻る。
【００４３】
図５に示すように、トラクタ用の年間機械利用経費画面３５には、作業能率を表示するための作業能率表示部３７、実作業率を表示するための実作業率表示部３８、固定費を表示するための固定費表示部３９、変動費を表示するための変動費表示部４０、及び、年間機械利用経費を表示するための利用経費表示部４１、などが表示されている。
【００４４】
トラクタ用の年間機械利用経費画面３５における符号４２は、次画面への切り換え用として表示された操作ボタンであり、この操作ボタン４２がマウス７の人為操作によって操作されると、その操作に基づく制御装置２の制御作動によって、ディスプレイ８で表示される画面が、トラクタ用の年間機械利用経費画面３５からトラクタ用の損益分岐点画面４３（図６参照）に切り換わる。
【００４５】
トラクタ用の年間機械利用経費画面３５における符号４４は、前画面への切り換え用として表示された操作ボタンであり、この操作ボタン４４がマウス７の人為操作によって操作されると、その操作に基づく制御装置２の制御作動によって、ディスプレイ８で表示される画面が、トラクタ用の年間機械利用経費画面３５からトラクタ用のほ場作業量＆作業能率画面２３（図４参照）に戻る。
【００４６】
図６に示すように、トラクタ用の損益分岐点画面４３には、受託料金を入力するための受託料金入力部４５、作業装置選択用の選択入力部４６、損益分岐点を数値表示するための第１損益分岐点表示部４７、損益分岐点をグラフ表示するための第２損益分岐点表示部４８、などが表示されている。
【００４７】
トラクタ用の損益分岐点画面４３における符号４９は、前画面への切り換え用として表示された操作ボタンであり、この操作ボタン４９がマウス７の人為操作によって操作されると、その操作に基づく制御装置２の制御作動によって、ディスプレイ８で表示される画面が、トラクタ用の損益分岐点画面４３からトラクタ用の年間機械利用経費画面３５（図５参照）に戻る。
【００４８】
マウス７の人為操作によって、トラクタ用の条件設定画面１６（図３参照）、ほ場作業量＆作業能率画面２３（図４参照）、年間機械利用経費画面３５（図５参照）にそれぞれ備えたリセットボタン５０が操作されると、対応する画面１６，２３，３５がリセットされる。
【００４９】
マウス７の人為操作によって、トラクタ用の各画面１６，２３，３５，４３にそれぞれ備えた印刷ボタン５１が操作されると、対応する画面１６，２３，３５，４３で表示された表示内容が印刷される。
【００５０】
マウス７の人為操作によって、トラクタ用の損益分岐点画面４３に備えた全頁印刷ボタン５２が操作されると、トラクタ用の各画面１６，２３，３５，４３で表示された表示内容の全てが印刷される。
【００５１】
マウス７の人為操作によって、トラクタ用の各画面１６，２３，３５，４３にそれぞれ備えた「ＭＥＮＵ」、「条件設定」、「ほ場作業量＆作業能率」、「年間機械利用経費」、「損益分岐点」、と表示された操作ボタン５３〜５７のうちのいずれかが操作されると、ディスプレイ８で表示される画面が、そのときの画面１６，２３，３５，４３から操作された操作ボタン５３〜５７に対応する画面１１，１６，２３，３５，４３（図２〜６参照）に切り換わる。
【００５２】
図２に示すメインメニュー画面１１でのマウス７の人為操作によって第２選択ボタン１３が操作されると、その操作に基づく制御装置２の制御作動で、田植機選定用のシミュレーションが開始され、ディスプレイ８で表示される画面が、メインメニュー画面１１から田植機用の条件設定画面５８（図７参照）に切り換わる。
【００５３】
図７に示すように、田植機用の条件設定画面５８には、基本情報を入力するための基本情報入力部５９、作業条件に関する情報を入力するための作業条件入力部６０、立地条件に関する情報を入力するための立地条件入力部６１、などが表示されている。
【００５４】
基本情報入力部５９には、燃料費、オペレータと補助者の労賃、年間作業面積、を入力するためのそれぞれの入力欄（符号無し）が表示されている。それらの各入力欄には、それぞれに対応する数値がキーボード６の人為操作によって入力される。燃料費として入力される数値は燃料の種類や地域などによって異なるものである。オペレータや補助者の労賃として入力される数値は地域などによって異なるものである。
【００５５】
作業条件入力部６０には、田植機の作業能率及びほ場作業量に影響を及ぼす多数の作業条件に関する情報のうちの影響が大きい、ほ場の大きさ、ほ場の形、ほ場の乾湿、オペレータの熟練度、施肥装置の有無、の５つの作業条件情報、ほ場の大きさの定性的な選択入力を可能にする「小」「中」「大」の３つの選択ボタン（符号無し）、ほ場の形の定性的な選択入力を可能にする「悪い」「普通」「良い」の３つの選択ボタン（符号無し）、ほ場の乾湿の定性的な選択入力を可能にする「湿田」「半湿」「乾田」の３つの選択ボタン（符号無し）、オペレータの熟練度の定性的な選択入力を可能にする「低」「普通」「高」の３つの選択ボタン（符号無し）、施肥装置の有無の定性的な選択入力を可能にする「有」「無」の２つの選択ボタン（符号無し）、がそれぞれ表示されている。これらの各選択ボタンの選択操作はマウス７の人為操作によって行われる。
【００５６】
立地条件入力部６１には、田植機の作業能率及びほ場作業量に影響を及ぼす多数の立地条件に関する情報のうちの影響が大きい、ほ場の分散度、ほ場までの距離、の２つの立地条件情報が表示されるとともに、ほ場の分散度の定性的な選択入力を可能にする「多」「普通」「小」の３つの選択ボタン（符号無し）、ほ場までの距離の定性的な選択入力を可能にする「遠」「普通」「近」の３つの選択ボタン（符号無し）、がそれぞれ表示されている。これらの各選択ボタンの選択操作はマウス７の人為操作によって行われる。
【００５７】
田植機用の条件設定画面５８における符号６２は、次画面への切り換え用として表示された操作ボタンであり、この操作ボタン６２がマウス７の人為操作によって操作されると、ディスプレイ８で表示される画面が、田植機用の条件設定画面５８から田植機用のほ場作業量＆作業能率画面６３（図８参照）に切り換わる。
【００５８】
図８に示すように、田植機用のほ場作業量＆作業能率画面６３には、シミュレーションする田植機の作業条数を入力するための条数入力部６４、条間（固定値）を表示するための条間表示部６５、作業速度を入力するための作業速度入力部６６、１日の作業時間を入力するための時間入力部６７、年間作業面積を表示するための年間作業面積表示部６８、ほ場作業効率を表示するためのほ場作業効率表示部６９、実作業率を表示するための実作業率表示部７０、田植機による１時間当たりのほ場作業量を表示するための第１ほ場作業量表示部７１、田植機による１日当たりの実作業時間を表示するための実作業時間表示部７２、田植機による１日当たりのほ場作業量を表示するための第２ほ場作業量表示部７３、田植機の作業能率を表示するための作業能率表示部７４、などがそれぞれ表示されている。
【００５９】
条数入力部６４は、プルダウンメニューによる選択式で、マウス７の人為操作で選択した作業条数が入力される。作業速度入力部６６には、カタログに記載された数値がキーボード６の人為操作によって入力され、その数値は、過去の試験結果などから得た補正値によって、作業精度を落とさない適正な速度に補正される。
【００６０】
時間入力部６７には、田植機による１日の作業時間がキーボード６の人為操作によって数値入力される。１日の作業時間は地域などによって異なるものである。
【００６１】
田植機用のほ場作業量＆作業能率画面６３における符号７５は、次画面への切り換え用として表示された操作ボタンであり、この操作ボタン７５がマウス７の人為操作によって操作されると、ディスプレイ８で表示される画面が、田植機用のほ場作業量＆作業能率画面６３から田植機用の年間機械利用経費画面７６（図９参照）に切り換わる。
【００６２】
田植機用のほ場作業量＆作業能率画面６３における符号７７は、前画面への切り換え用として表示された操作ボタンであり、この操作ボタン７７がマウス７の人為操作によって操作されると、ディスプレイ８で表示される画面が、田植機用のほ場作業量＆作業能率画面６３から田植機用の条件設定画面５８（図７参照）に戻る。
【００６３】
図９に示すように、田植機用の年間機械利用経費画面７６には、基本情報入力部５９で入力された燃料費、オペレータと補助者の労賃、年間作業面積、を表示するための基本情報表示部７８、作業能率を表示するための作業能率表示部７９、実作業率を表示するための実作業率表示部８０、固定費を表示するための固定費表示部８１、変動費を表示するための変動費表示部８２、及び、年間機械利用経費を表示するための利用経費表示部８３、などが表示されている。
【００６４】
田植機用の年間機械利用経費画面７６における符号８４は、次画面への切り換え用として表示された操作ボタンであり、この操作ボタン８４がマウス７の人為操作によって操作されると、ディスプレイ８で表示される画面が、田植機用の年間機械利用経費画面７６から田植機用の損益分岐点画面８５（図１０参照）に切り換わる。
【００６５】
田植機用の年間機械利用経費画面７６における符号８６は、前画面への切り換え用として表示された操作ボタンであり、この操作ボタン８６がマウス７の人為操作によって操作されると、ディスプレイ８で表示される画面が、田植機用の年間機械利用経費画面７６から田植機用のほ場作業量＆作業能率画面６３（図８参照）に戻る。
【００６６】
図１０に示すように、田植機用の損益分岐点画面８５には、受託料金を入力するための受託料金入力部８７、損益分岐点を数値表示するための第１損益分岐点表示部８８、損益分岐点をグラフ表示するための第２損益分岐点表示部８９、などが表示されている。
【００６７】
田植機用の損益分岐点画面８５における符号９０は、前画面への切り換え用として表示された操作ボタンであり、この操作ボタン８６がマウス７の人為操作によって操作されると、ディスプレイ８で表示される画面が、田植機用の損益分岐点画面８５から田植機用の年間機械利用経費画面７６（図９参照）に戻る。
【００６８】
マウス７の人為操作によって、田植機用の条件設定画面５８（図７参照）、ほ場作業量＆作業能率画面６３（図８参照）、年間機械利用経費画面７６（図９参照）にそれぞれ備えたリセットボタン９１が操作されると、対応する画面５８，６３，７６がリセットされる。
【００６９】
マウス７の人為操作によって、田植機用の各画面５８，６３，７６，８５にそれぞれ備えた印刷ボタン９２が操作されると、対応する画面５８，６３，７６，８５で表示された表示内容が印刷される。
【００７０】
マウス７の人為操作によって、田植機用の損益分岐点画面８５に備えた全頁印刷ボタン９３が操作されると、田植機用の各画面５８，６３，７６，８５で表示された表示内容の全てが印刷される。
【００７１】
マウス７の人為操作によって、田植機用の各画面５８，６３，７６，８５にそれぞれ備えた「ＭＥＮＵ」、「条件設定」、「ほ場作業量＆作業能率」、「年間機械利用経費」、「損益分岐点」、と表示された操作ボタン９４〜９８のうちのいずれかが操作されると、ディスプレイ８で表示される画面が、そのときの画面５８，６３，７６，８５から操作された操作ボタン９４〜９８に対応する画面１１，５８，６３，７６，８５（図２、図７〜１０参照）に切り換わる。
【００７２】
図２に示すメインメニュー画面１１でのマウス７の人為操作によって第３選択ボタン１４が操作されると、その操作に基づく制御装置２の制御作動で、自脱形コンバイン選定用のシミュレーションが開始され、ディスプレイ８で表示される画面が、メインメニュー画面１１から自脱形コンバイン用の条件設定画面９９（図１１参照）に切り換わる。
【００７３】
図１１に示すように、自脱形コンバイン用の条件設定画面９９には、基本情報を入力するための基本情報入力部１００、作業条件に関する情報を入力するための作業条件入力部１０１、立地条件に関する情報を入力するための立地条件入力部１０２、などが表示されている。
【００７４】
基本情報入力部１００には、燃料費、オペレータと補助者の労賃、米用の年間作業面積、麦用の年間作業面積、を入力するためのそれぞれの入力欄（符号無し）が表示されている。それらの各入力欄には、それらに対応する数値がキーボード６の人為操作によって入力される。燃料費及びオペレータや補助者の労賃として入力される数値は地域などによって異なるものである。
【００７５】
作業条件入力部１０１には、自脱形コンバインの作業能率及びほ場作業量に影響を及ぼす多数の作業条件に関する情報のうちの影響が大きい、ほ場の大きさ、ほ場の形、ほ場の乾湿、オペレータの熟練度、収穫作物の倒伏度合い、の５つの作業条件情報、ほ場の大きさの定性的な選択入力を可能にする「小」「中」「大」の３つの選択ボタン（符号無し）、ほ場の形の定性的な選択入力を可能にする「悪い」「普通」「良い」の３つの選択ボタン（符号無し）、ほ場の乾湿の定性的な選択入力を可能にする「湿田」「半湿」「乾田」の３つの選択ボタン（符号無し）、オペレータの熟練度の定性的な選択入力を可能にする「低」「普通」「高」の３つの選択ボタン（符号無し）、倒伏度合いの定性的な選択入力を可能にする「有」「普通」「無」の３つの選択ボタン（符号無し）、がそれぞれ表示されている。これらの各選択ボタンの選択操作はマウス７の人為操作によって行われる。
【００７６】
立地条件入力部１０２には、自脱形コンバインの作業能率及びほ場作業量に影響を及ぼす多数の立地条件に関する情報のうちの影響が大きい、ほ場の分散度、ほ場までの距離、の２つの立地条件情報、ほ場の分散度の定性的な選択入力を可能にする「多」「普通」「小」の３つの選択ボタン（符号無し）、ほ場までの距離の定性的な選択入力を可能にする「遠」「普通」「近」の３つの選択ボタン（符号無し）、がそれぞれ表示されている。これらの各選択ボタンの選択操作はマウス７の人為操作によって行われる。
【００７７】
自脱形コンバイン用の条件設定画面９９における符号１０３は、次画面への切り換え用として表示された操作ボタンであり、この操作ボタン１０３がマウス７の人為操作によって操作されると、ディスプレイ８で表示される画面が、自脱形コンバイン用の条件設定画面９９から自脱形コンバイン用のほ場作業量＆作業能率画面１０４（図１２参照）に切り換わる。
【００７８】
図１２に示すように、自脱形コンバイン用のほ場作業量＆作業能率画面１０４には、シミュレーションする自脱形コンバインの作業条数を入力するための条数入力部１０５、条間（固定値）を表示するための条間表示部１０６、作業速度を入力するための作業速度入力部１０７、１日の作業時間を入力するための時間入力部１０８、年間作業面積を表示するための年間作業面積表示部１０９、ほ場作業効率を表示するためのほ場作業効率表示部１１０、実作業率を表示するための実作業率表示部１１１、自脱形コンバインによる米及び麦に対する１時間当たりのほ場作業量を表示するための第１ほ場作業量表示部１１２、自脱形コンバインによる米及び麦に対する１日当たりの実作業時間を表示するための実作業時間表示部１１３、自脱形コンバインによる米及び麦に対する１日当たりのほ場作業量を表示するための第２ほ場作業量表示部１１４、自脱形コンバインの米及び麦に対する作業能率を表示するための作業能率表示部１１５、などが表示されている。
【００７９】
条数入力部１０５は、プルダウンメニューによる選択式で、マウス７の人為操作で選択した作業条数が入力される。作業速度入力部１０７には、カタログに記載された数値がキーボード６の人為操作によって入力され、その数値は、過去の試験結果などから得た補正値によって、作業精度を落とさない適正な速度に補正される。
【００８０】
時間入力部６７には、自脱形コンバインによる米及び麦に対する１日の作業時間がキーボード６の人為操作によって数値入力される。１日の作業時間は地域などによって異なるものである。
【００８１】
自脱形コンバイン用のほ場作業量＆作業能率画面１０４における符号１１６は、次画面への切り換え用として表示された操作ボタンであり、この操作ボタン１１６がマウス７の人為操作によって操作されると、ディスプレイ８で表示される画面が、自脱形コンバイン用のほ場作業量＆作業能率画面１０４から自脱形コンバイン用の年間機械利用経費画面１１７（図１３参照）に切り換わる。
【００８２】
自脱形コンバイン用のほ場作業量＆作業能率画面１０４における符号１１８は、前画面への切り換え用として表示された操作ボタンであり、この操作ボタン１１８がマウス７の人為操作によって操作されると、ディスプレイ８で表示される画面が、自脱形コンバイン用のほ場作業量＆作業能率画面１０４から自脱形コンバイン用の条件設定画面９９（図１１参照）に戻る。
【００８３】
図１３に示すように、自脱形コンバイン用の年間機械利用経費画面１１７には、基本情報入力部１００で入力された燃料費、オペレータと補助者の労賃、年間作業面積、を表示するための基本情報表示部１１９、作業能率を表示するための作業能率表示部１２０、実作業率を表示するための実作業率表示部１２１、固定費を表示するための固定費表示部１２２、変動費を表示するための変動費表示部１２３、及び、年間機械利用経費を表示するための利用経費表示部１２４、などが表示されている。
【００８４】
自脱形コンバイン用の年間機械利用経費画面１１７における符号１２５は、次画面への切り換え用として表示された操作ボタンであり、この操作ボタン１２５がマウス７の人為操作によって操作されると、ディスプレイ８で表示される画面が、自脱形コンバイン用の年間機械利用経費画面１１７から自脱形コンバイン用の損益分岐点画面１２６（図１４参照）に切り換わる。
【００８５】
自脱形コンバイン用の年間機械利用経費画面１１７における符号１２７は、前画面への切り換え用として表示された操作ボタンであり、この操作ボタン１２７がマウス７の人為操作によって操作されると、ディスプレイ８で表示される画面が、自脱形コンバイン用の年間機械利用経費画面１１７から自脱形コンバイン用のほ場作業量＆作業能率画面１０４（図１２参照）に戻る。
【００８６】
図１４に示すように、自脱形コンバイン用の損益分岐点画面１２６には、米及び麦に対する受託料金を入力するための受託料金入力部１２８、米・麦選択用の選択入力部１２９、損益分岐点を数値表示するための第１損益分岐点表示部１３０、損益分岐点をグラフ表示するための第２損益分岐点表示部１３１、などが表示されている。
【００８７】
自脱形コンバイン用の損益分岐点画面１２６における符号１３２は、前画面への切り換え用として表示された操作ボタンであり、この操作ボタン１２７がマウス７の人為操作によって操作されると、ディスプレイ８で表示される画面が、自脱形コンバイン用の損益分岐点画面１３２から自脱形コンバイン用の年間機械利用経費画面１１７（図１３参照）に戻る。
【００８８】
マウス７の人為操作によって、自脱形コンバイン用の条件設定画面９９（図１１参照）、ほ場作業量＆作業能率画面１０４（図１２参照）、及び、年間機械利用経費画面１１７（図１３参照）にそれぞれ備えたリセットボタン１３３が操作されると、対応する画面９９，１０４，１１７がリセットされる。
【００８９】
マウス７の人為操作によって、自脱形コンバイン用の各画面９９，１０４，１１７，１２６にそれぞれ備えた印刷ボタン１３４が操作されると、対応する画面９９，１０４，１１７，１２６で表示された表示内容が印刷される。
【００９０】
マウス７の人為操作によって、自脱形コンバイン用の損益分岐点画面１２６に備えた全頁印刷ボタン１３５が操作されると、自脱形コンバイン用の各画面９９，１０４，１１７，１２６で表示された表示内容の全てが印刷される。
【００９１】
マウス７の人為操作によって、自脱形コンバイン用の各画面９９，１０４，１１７，１２６にそれぞれ備えた「ＭＥＮＵ」、「条件設定」、「ほ場作業量＆作業能率」、「年間機械利用経費」、「損益分岐点」、と表示された操作ボタン１３６〜１４０のうちのいずれかが操作されると、ディスプレイ８で表示される画面が、そのときの画面９９，１０４，１１７，１２６から操作された操作ボタン１３６〜１４０に対応する画面１１，９９，１０４，１１７，１２６（図２、図１１〜１４参照）に切り換わる。
【００９２】
図２に示すメインメニュー画面１１でのマウス７の人為操作によって第４選択ボタン１５が操作されると、その操作に基づく制御装置２の制御作動で、普通形コンバイン選定用のシミュレーションが開始され、ディスプレイ８で表示される画面が、メインメニュー画面１１から普通形コンバイン用の条件設定画面１４１（図１５参照）に切り換わる。
【００９３】
図１５に示すように、普通形コンバイン用の条件設定画面１４１には、基本情報を入力するための基本情報入力部１４２、作業条件に関する情報を入力するための作業条件入力部１４３、立地条件に関する情報を入力するための立地条件入力部１４４、などが表示されている。
【００９４】
基本情報入力部１４２には、燃料費、オペレータと補助者の労賃、米用の年間作業面積、麦用の年間作業面積、を入力するためのそれぞれの入力欄（符号無し）が表示されている。それらの各入力欄には、それらに対応する数値がキーボード６の人為操作によって入力される。燃料費及びオペレータや補助者の労賃として入力される数値は地域などによって異なるものである。
【００９５】
作業条件入力部１４３には、普通形コンバインの作業能率及びほ場作業量に影響を及ぼす多数の作業条件に関する情報のうちの影響が大きい、ほ場の大きさ、ほ場の形、ほ場の乾湿、オペレータの熟練度、収穫作物の倒伏度合い、の５つの作業条件情報、ほ場の大きさの定性的な選択入力を可能にする「小」「中」「大」の３つの選択ボタン（符号無し）、ほ場の形の定性的な選択入力を可能にする「悪い」「普通」「良い」の３つの選択ボタン（符号無し）、ほ場の乾湿の定性的な選択入力を可能にする「湿田」「半湿」「乾田」の３つの選択ボタン（符号無し）、オペレータの熟練度の定性的な選択入力を可能にする「低」「普通」「高」の３つの選択ボタン（符号無し）、倒伏度合いの定性的な選択入力を可能にする「有」「普通」「無」の３つの選択ボタン（符号無し）、が表示されている。これらの各選択ボタンの選択操作はマウス７の人為操作によって行われる。
【００９６】
立地条件入力部１４４には、普通形コンバインの作業能率及びほ場作業量に影響を及ぼす多数の立地条件に関する情報のうちの影響が大きい、ほ場の分散度、ほ場までの距離、の２つの立地条件情報、ほ場の分散度の定性的な選択入力を可能にする「多」「普通」「小」の３つの選択ボタン（符号無し）、ほ場までの距離の定性的な選択入力を可能にする「遠」「普通」「近」の３つの選択ボタン（符号無し）、が表示されている。これらの各選択ボタンの選択操作はマウス７の人為操作によって行われる。
【００９７】
普通形コンバイン用の条件設定画面１４１における符号１４５は、次画面への切り換え用として表示された操作ボタンであり、この操作ボタン１４５がマウス７の人為操作によって操作されると、ディスプレイ８で表示される画面が、普通形コンバイン用の条件設定画面１４１から普通形コンバイン用のほ場作業量＆作業能率画面１４６（図１６参照）に切り換わる。
【００９８】
図１６に示すように、普通形コンバイン用のほ場作業量＆作業能率画面１４６には、シミュレーションする普通形コンバインの作業幅を入力するための作業幅入力部１４７、作業速度を入力するための作業速度入力部１４８、１日の作業時間を入力するための時間入力部１４９、年間作業面積を表示するための年間作業面積表示部１５０、ほ場作業効率を表示するためのほ場作業効率表示部１５１、実作業率を表示するための実作業率表示部１５２、普通形コンバインによる大豆及び麦に対する１時間当たりのほ場作業量を表示するための第１ほ場作業量表示部１５３、普通形コンバインによる大豆及び麦に対する１日当たりの実作業時間を表示するための実作業時間表示部１５４、普通形コンバインの大豆及び麦に対する１日当たりのほ場作業量を表示するための第２ほ場作業量表示部１５５、普通形コンバインの大豆及び麦に対する作業能率を表示するための作業能率表示部１５６、などが表示されている。
【００９９】
作業幅入力部１４７には、プルダウンメニューによる選択式に構成された刈幅入力領域（符号無し）と条間入力領域（符号無し）、大豆及び麦に対する普通形コンバインの作業幅を表示する作業幅表示領域（符号無し）、が表示されている。刈幅入力領域及び条間入力領域への入力はマウス７の人為操作で行われる。条間入力領域は大豆の場合にのみ使用される。作業速度入力部１４８には、カタログに記載された数値がキーボード６の人為操作によって入力され、その数値は、過去の試験結果などから得た補正値によって、作業精度を落とさない適正な速度に補正される。
【０１００】
時間入力部１４９には、普通形コンバインによる大豆及び麦に対する１日の作業時間がキーボード６の人為操作によって数値入力される。１日の作業時間は地域などによって異なるものである。
【０１０１】
普通形コンバイン用のほ場作業量＆作業能率画面１４６における符号１５７は、次画面への切り換え用として表示された操作ボタンであり、この操作ボタン１５７がマウス７の人為操作によって操作されると、ディスプレイ８で表示される画面が、普通形コンバイン用のほ場作業量＆作業能率画面１４６から普通形コンバイン用の年間機械利用経費画面１５８（図１７参照）に切り換わる。
【０１０２】
普通形コンバイン用のほ場作業量＆作業能率画面１４６における符号１５９は、前画面への切り換え用として表示された操作ボタンであり、この操作ボタン１５９がマウス７の人為操作によって操作されると、ディスプレイ８で表示される画面が、普通形コンバイン用のほ場作業量＆作業能率画面１４６から普通形コンバイン用の条件設定画面１４１（図１５参照）に戻る。
【０１０３】
図１７に示すように、年間機械利用経費画面１５８には、基本情報入力部１４２で入力された燃料費、オペレータと補助者の労賃、年間作業面積を表示するための基本情報表示部１６０、作業能率を表示するための作業能率表示部１６１、実作業率を表示するための実作業率表示部１６２、固定費を表示するための固定費表示部１６３、変動費を表示するための変動費表示部１６４、及び、年間機械利用経費を表示するための利用経費表示部１６５、などが表示されている。
【０１０４】
普通形コンバイン用の年間機械利用経費画面１５８における符号１６６は、次画面への切り換え用として表示された操作ボタンであり、この操作ボタン１６６がマウス７の人為操作によって操作されると、ディスプレイ８で表示される画面が、普通形コンバイン用の年間機械利用経費画面１５８から普通形コンバイン用の損益分岐点画面１６７（図１８参照）に切り換わる。
【０１０５】
普通形コンバイン用の年間機械利用経費画面１５８における符号１６８は、前画面への切り換え用として表示された操作ボタンであり、この操作ボタン１６８がマウス７の人為操作によって操作されると、ディスプレイ８で表示される画面が、普通形コンバイン用の年間機械利用経費画面１５８から普通形コンバイン用のほ場作業量＆作業能率画面１４６（図１６参照）に戻る。
【０１０６】
図１８に示すように、普通形コンバイン用の損益分岐点画面１６７には、大豆及び麦に対する受託料金を入力するための受託料金入力部１６９、大豆・麦選択用の選択入力部１７０、損益分岐点を数値表示するための第１損益分岐点表示部１７１、損益分岐点をグラフ表示するための第２損益分岐点表示部１７２、などが表示されている。
【０１０７】
普通形コンバイン用の損益分岐点画面１６７における符号１７３は、前画面への切り換え用として表示された操作ボタンであり、この操作ボタン１７３がマウス７の人為操作によって操作されると、ディスプレイ８で表示される画面が、普通形コンバイン用の損益分岐点画面１６７から普通形コンバイン用の年間機械利用経費画面１５８（図１７参照）に戻る。
【０１０８】
マウス７の人為操作によって、普通形コンバイン用の条件設定画面１４１（図１５参照）、ほ場作業量＆作業能率画面１４６（図１６参照）、年間機械利用経費画面１５８（図１７参照）にそれぞれ備えたリセットボタン１７４が操作されると、対応する画面１４１，１４６，１５８がリセットされる。
【０１０９】
マウス７の人為操作によって、普通形コンバイン用の各画面１４１，１４６，１５８，１６７にそれぞれ備えた印刷ボタン１７５が操作されると、対応する画面１４１，１４６，１５８，１６７で表示された表示内容が印刷される。
【０１１０】
マウス７の人為操作によって、普通形コンバイン用の損益分岐点画面１６７に備えた全頁印刷ボタン１７６が操作されると、普通形コンバイン用の各画面１４１，１４６，１５８，１６７で表示された表示内容の全てが印刷される。
【０１１１】
マウス７の人為操作によって、普通形コンバイン用の各画面１４１，１４６，１５８，１６７にそれぞれ備えた「ＭＥＮＵ」、「条件設定」、「ほ場作業量＆作業能率」、「年間機械利用経費」、「損益分岐点」、と表示された操作ボタン１７７〜１８１のうちのいずれが操作されると、ディスプレイ８で表示される画面が、そのときの画面１４１，１４６，１５８，１６７から操作された操作ボタン１７７〜１８１に対応する画面１１，１４１，１４６，１５８，１６７（図２、図１５〜１８参照）に切り換わる。
【０１１２】
次に、トラクタ選定用のシミュレーションでの各操作手順、その操作に基づいて行われる演算処理、それらによって得られる表示内容などについて説明する。
【０１１３】
先ず、トラクタ用の条件設定画面１６において、基本情報入力部１７に、シミュレーションするトラクタの馬力、燃料費、オペレータの労賃、各作業装置による作業面積と作業回数、を数値入力する。すると、各作業装置による年間作業面積が、各作業装置による作業面積、作業回数、所定の計算式、に基づいて算出され、年間作業面積表示部２１で表示される。
【０１１４】
作業条件入力部１９において各作業条件を選択入力すると、選択操作された各選択ボタンの表示状態が非選択状態から選択状態に切り換わる。そして、各作業条件に対応する定性的情報（選択ボタンの表示内容）と定量的情報（ほ場作業効率に対する補正値）との相関関係を示す相関関係データに基づいて、定性的な選択操作で入力された作業条件に関する各入力情報が定性的情報から定量的情報に変換され、その定量的情報に基づいて、予め設定した各作業装置のほ場作業効率が補正される。尚、予め設定した各作業装置のほ場作業効率は過去の試験結果などから得られた平均値である。
【０１１５】
立地条件入力部１９において各立地条件を選択入力すると、選択操作された各選択ボタンの表示状態が非選択状態から選択状態に切り換わる。そして、各立地条件に対応する定性的情報（選択ボタンの表示内容）と定量的情報（ほ場作業効率に対する補正値）との相関関係を示す相関関係データに基づいて、立地条件に関する各入力情報が定性的情報から定量的情報に変換され、その定量的情報に基づいて、予め設定した各作業装置の実作業率が補正される。尚、予め設定した各作業装置の実作業率は過去の試験結果などから得られた平均値である。
【０１１６】
基本情報、各作業条件、各立地条件の入力後に、表示画面をトラクタ用の条件設定画面１６からトラクタ用のほ場作業量＆作業能率画面２３に切り換えると、各作業装置による年間作業面積が年間作業面積表示部２７で表示され、選択した各作業条件に基づいて補正されたほ場作業効率がほ場作業効率表示部２８で表示され、選択した各立地条件に基づいて補正された実作業率が実作業率表示部２９で表示される。
【０１１７】
ここで、作業幅入力部２４に、ロータリ耕耘装置の作業幅、水田プラウの刃幅と連数、代かきハローの作業幅、施肥装置や播種装置の作業幅、を入力すると、水田プラウの作業幅が、刃幅、連数、所定の計算式、に基づいて算出され、作業幅入力部２４に備えた水田プラウの作業幅表示欄（符号無し）で表示される。
【０１１８】
作業速度入力部２５に各作業時の作業速度を入力すると、各作業装置の作業幅、作業速度、補正後の各作業装置のほ場作業効率、所定の計算式、に基づいて、各作業装置による１時間当たりのほ場作業量が算出され、第１ほ場作業量表示部３０で表示される。
【０１１９】
時間入力部２６に各作業装置による１日の作業時間を入力すると、１日の作業時間、補正後の各作業装置の実作業率、所定の計算式、に基づいて、各作業装置による１日当たりの実作業時間が算出され、実作業時間表示部３１で表示される。
【０１２０】
各作業装置による１時間当たりのほ場作業量と各作業装置による１日当たりの実作業時間とが算出されると、それらの算出結果、所定の計算式、に基づいて、各作業装置による１日当たりのほ場作業量が算出され、第２ほ場作業量表示部３２で表示される。
【０１２１】
各作業装置による１日当たりのほ場作業量が算出されると、その算出結果、所定の計算式、に基づいて、各作業装置の作業能率が算出され、作業能率表示部３３で表示される。
【０１２２】
つまり、適正農作業機選定シミュレーション用の制御プログラムに基づく制御装置２の制御作動によって、トラクタを使用するほ場の作業条件や立地条件が適正に考慮されたトラクタ選定用のシミュレーションを簡単に行うことができ、その作業条件や立地条件に応じた適正なトラクタを容易に選定することができる。
【０１２３】
しかも、トラクタの作業能率及びほ場作業量に影響を及ぼす多数の作業条件に関する情報のうち、影響の大きい４つの作業条件情報のみを人為入力させ、又、農作業機の作業能率及びほ場作業量に影響を及ぼす多数の立地条件に関する情報のうち、影響の大きい２つの立地条件情報のみを人為入力させるようにしていることから、作業条件情報及び立地条件情報の入力に要する手間の削減を図りながら、作業条件及び立地条件を考慮して算出されるトラクタの作業能率及びほ場作業量を信頼性の高いものにすることができる。
【０１２４】
又、作業条件情報及び立地条件情報の入力方法を、定性的な表現を用いた選択操作式にしたことで、作業条件情報及び立地条件情報を数値入力させる場合に比較して、作業条件情報及び立地条件情報を入力する際の考察時間の短縮を図りながら、的確な作業条件情報及び立地条件情報を得ることができ、作業条件情報及び立地条件情報を考慮して算出されるトラクタの作業能率及びほ場作業量を信頼性の高いものにすることができる。
【０１２５】
ところで、各作業条件に基づいて予め設定した各作業装置のほ場作業効率を補正する上において、各作業装置のほ場作業量に対する影響の大きい作業条件に関する情報による補正値を、各作業装置のほ場作業量に対する影響の小さい作業条件に関する情報による補正値よりも、補正量が大きくなるように設定してある。
【０１２６】
又、各立地条件に基づいて予め設定した各作業装置の実作業率を補正する上において、各作業装置の実作業時間に対する影響の大きい立地条件に関する情報による補正値を、各作業装置の実作業時間に対する影響の小さい立地条件に関する情報による補正値よりも、補正量が大きくなるように設定してある。
【０１２７】
これによって、作業条件及び立地条件を考慮して算出されるトラクタの作業能率及びほ場作業量をより信頼性の高いものにすることができる。
【０１２８】
各作業装置の作業能率が作業能率表示部３３で表示された後、表示画面を、トラクタ用のほ場作業量＆作業能率画面２３からトラクタ用の年間機械利用経費画面３５に切り換えると、各作業装置の作業能率が作業能率表示部３７で表示され、補正後の各作業装置の実作業率が実作業率表示部３８で表示され、予め設定したトラクタ及び各作業装置の固定費率が固定費表示部３９に備えた固定費率表示欄（符号無し）で表示される。
【０１２９】
又、基本情報入力部１７に入力されたトラクタの馬力、トラクタの馬力と燃料消費量との相関関係を示す相関関係データ、に基づいて、燃料消費量が割り出されて、変動費表示部４０に備えた燃料消費量表示欄（符号無し）で表示され、基本情報入力部１７に入力された燃料費が燃料単価として変動費表示部４０に備えた燃料単価表示欄（符号無し）で表示され、燃料消費量、燃料単価、各作業装置の作業能率、所定の計算式、に基づいて、各作業装置の１ヘクタール当たりの燃料・潤滑油費が算出され、変動費表示部４０に備えた燃料・潤滑油費表示欄（符号無し）で表示され、作業能率、実作業率、基本情報入力部１７に入力されたオペレータの労賃、所定の計算式、に基づいて、オペレータの各作業での１ヘクタール当たりの労賃が算出され、変動費表示部４０に備えたオペレータの労賃表示欄（符号無し）で表示される。
【０１３０】
固定費表示部３９に備えた購入金額入力欄（符号無し）に、キーボード６の人為操作によってトラクタ及び各作業装置の購入金額を数値入力すると、それらの入力情報、トラクタ及び各作業装置の固定費率、所定の計算式、に基づいて、トラクタ及び各作業装置の固定費が算出され、固定費表示部３９に備えた各作業装置の固定費表示欄（符号無し）で表示され、その算出されたトラクタの固定費、所定の計算式、に基づいて、トラクタの１ヘクタール当たりの固定費が算出され、変動費表示部４０に備えた固定費表示欄（符号無し）で表示され、算出したトラクタの１ヘクタール当たりの固定費、各作業装置の１ヘクタール当たりの燃料・潤滑油費、オペレータの各作業での１ヘクタール当たりの労賃、所定の計算式、に基づいて、各作業装置の変動費が算出され、変動費表示部４０に備えた各作業装置の変動費表示欄（符号無し）で表示され、算出したトラクタ及び各作業装置の固定費と変動費、作業面積、所定の計算式、に基づいて、年間機械利用経費が算出され、利用経費表示部４１で表示される。
【０１３１】
年間機械利用経費が利用経費表示部４１で表示された後、表示画面を、トラクタ用の年間機械利用経費画面３５からトラクタ用の損益分岐点画面４３に切り換え、各作業の受託料金入力部４５に受託料金を数値入力し、使用する作業装置を選択すると、選択した作業装置の固定費、変動費、受託料金、所定の計算式、に基づいて、損益分岐点が算出され、各損益分岐点表示部４７，４８で表示される。
【０１３２】
尚、田植機選定用のシミュレーション、自脱形コンバイン選定用のシミュレーション、普通形コンバイン選定用のシミュレーション、での各操作手順、それらの操作に基づいて行われる演算処理、それらによって得られる表示内容、などについての説明は省略するが、基本的には、上述したトラクタ選定用のシミュレーションでの操作手順、その操作に基づいて行われる演算処理、それらによって得られる表示内容、などと同じである。
【０１３３】
〔第２実施形態〕
【０１３４】
ところで、耕種計画に沿ったより適切な農作業機選定用のシミュレーションを行うためには、耕種計画に基づく栽培暦を作成することが望ましいが、栽培暦の作成にはかなりの手間を要することになる。
【０１３５】
そこで、ここでは、第１実施形態で例示した適正農作業機選定用のシミュレーション装置１に栽培暦作成機能を装備したものについて説明する。
【０１３６】
図示は省略するが、このシミュレーション装置１においては、図２に示すメインメニュー画面１１に、「栽培暦」と表示された第５選択ボタンが表示される。そして、マウス７の人為操作によって第５選択ボタンが操作されると、その操作に基づく制御装置２の制御作動で、ディスプレイ８で表示される画面が、メインメニュー画面１１から栽培暦作成用の操作画面２００（図１９及び図２０参照）に切り換わる。
【０１３７】
図１９及び図２０に示すように、栽培暦作成用の操作画面５８には、栽培予定作物の種類を選択するための「水稲」、「麦」、「大豆」、とそれぞれ表示された３つの種類選択ボタン２０１〜２０３、栽培予定作物の品種を選択するための「品種１」、「品種２」、「品種３」、とそれぞれ表示された３つの品種選択ボタン２０４〜２０６、栽培予定作物の品種名と作付け面積を入力するための第１入力部２０７、栽培予定作物に対する各種作業の作業期間を入力するための第２入力部２０８、各入力部２０７，２０８に入力された情報に基づいた栽培暦の作成を開始させるための栽培暦作成ボタン２０９、などが表示されている。
【０１３８】
そして、各県ごとで作成された耕種基準や個々に計画した耕種計画などに基づいて、各入力部２０７，２０８に、品種名、作付け面積、作業期間、を入力し、栽培暦作成ボタン２０９を操作すると、それらの入力に基づく栽培暦２１０（図２１参照）を画面表示（プリントアウトでもよい）することができ、この栽培暦２１０から、作業の重複などを容易に把握することができ、各作業に要する機械台数や人員数の検討、あるいは、耕種計画の変更を行うことができる。
【０１３９】
又、栽培暦２１０を作成することで作業適期間内日数を自動的に割り出すことができ、この作業適期間内日数、第１実施形態で例示した農作業機のシミュレーションで得られる各農作業機の１日当たりのほ場作業量、予め設定した作業可能日数率、所定の計算式、に基づいて、各農作業機の負担可能面積を算出することができ、この各農作業機の負担可能面積、実際の計画作業面積、所定の計算式、に基づいて、各農作業機の利用効率を算出することができ、これらの算出結果を画面表示させることで、より適正な農作業機の選定や耕種計画の変更を容易に行うことができる。
【０１４０】
そして、一般的には、この利用効率が８０〜１００％になることが望ましいとされていることから、算出した利用効率が８０％に満たない場合には、利用効率が８０〜１００％になるように、シミュレーションする農作業機を変更する、作業規模を拡大する、などの見直しを容易に行うことができ、算出した利用効率が１００％を少し超える場合であれば、利用効率が８０〜１００％になるように、シミュレーションする農作業機を変更する、作業期間や作業時間を調整する、などの見直しを容易に行うことができ、算出した利用効率が１００％を大幅に超える場合には、シミュレーションする農作業機を、より大きい作業能力を有するものに変更する、使用する農作業機の台数を増やす、などの見直しを容易に行うことができる。
【０１４１】
その結果、全ての農作業機の利用効率を８０〜１００％の間で揃えるといった好適な農作業機の選定を行うことも可能になる。
【０１４２】
尚、この適正農作業機選定用のシミュレーション装置１での操作手順としては、先ず栽培暦を作成し、その後に各農作業機のシミュレーションを行うことになる。
【０１４３】
そして、この適正農作業機選定用のシミュレーション装置１では、農作業機のシミュレーション画面において、機械台数を入力するための機械台数入力部、機械台数を表示するための機械台数表示部、などを表示させるといった機械台数の増加に対する機能、あるいは、機械台数の増加に伴って、第１号機用のシミュレーション、第２号機用のシミュレーション、などを個々に行えるようにするといった機械台数の増加に対する機能、などが備えられることになる。
【０１４４】
尚、第１実施形態及び第２実施形態における所定の計算式のそれぞれは、農作業の機械化に関する種々の文献で示されている周知のものであることから、それらの説明は省略する。
【０１４５】
第１実施形態及び第２実施形態で例示した適正農作業機選定用のシミュレーション装置１に、地域情報を入力するための地域情報入力部を設け、この地域情報入力部に入力された地域情報に基づいて、地域によって異なる種々の情報、例えば、各県ごとで作成された耕種基準、地区ごとの気象条件で異なる１日の作業時間、作業可能日数率、などを得られるように構成してもよい。
【図面の簡単な説明】
【０１４６】
【図１】適正農作業機選定用のシミュレーション装置の構成を示すブロック図
【図２】メインメニュー画面を示す図
【図３】トラクタ用の条件設定画面を示す図
【図４】トラクタ用のほ場作業量＆作業能率画面を示す図
【図５】トラクタ用の年間機械利用経費画面を示す図
【図６】トラクタ用の損益分岐点画面を示す図
【図７】田植機用の条件設定画面を示す図
【図８】田植機用のほ場作業量＆作業能率画面を示す図
【図９】田植機用の年間機械利用経費画面を示す図
【図１０】田植機用の損益分岐点画面を示す図
【図１１】自脱形コンバイン用の条件設定画面を示す図
【図１２】自脱形コンバイン用のほ場作業量＆作業能率画面を示す図
【図１３】自脱形コンバイン用の年間機械利用経費画面を示す図
【図１４】自脱形コンバイン用の損益分岐点画面を示す図
【図１５】普通形コンバイン用の条件設定画面を示す図
【図１６】普通形コンバイン用のほ場作業量＆作業能率画面を示す図
【図１７】普通形コンバイン用の年間機械利用経費画面を示す図
【図１８】普通形コンバイン用の損益分岐点画面を示す図
【図１９】栽培暦作成用の操作画面を示す図
【図２０】栽培暦作成用の操作画面を示す図
【図２１】栽培暦を示す図
【符号の説明】
【０１４７】
１９    作業条件入力部
２０    立地条件入力部
２４    作業幅入力部
２５    作業速度入力部
２６    時間入力部
６０    作業条件入力部
６１    立地条件入力部
６４    条数入力部
６６    作業速度入力部
６７    時間入力部
１０１  作業条件入力部
１０２  立地条件入力部
１０５  条数入力部
１０７  作業速度入力部
１０８  時間入力部
１４３  作業条件入力部
１４４  立地条件入力部
１４７  作業幅入力部
１４８  作業速度入力部
１４９  時間入力部
【図１】
2008173019.tif 000003
【図２】
2008173019.tif 000004
【図３】
2008173019.tif 000005
【図４】
2008173019.tif 000006
【図５】
2008173019.tif 000007
【図６】
2008173019.tif 000008
【図７】
2008173019.tif 000009
【図８】
2008173019.tif 000010
【図９】
2008173019.tif 000011
【図１０】
2008173019.tif 000012
【図１１】
2008173019.tif 000013
【図１２】
2008173019.tif 000014
【図１３】
2008173019.tif 000015
【図１４】
2008173019.tif 000016
【図１５】
2008173019.tif 000017
【図１６】
2008173019.tif 000018
【図１７】
2008173019.tif 000019
【図１８】
2008173019.tif 000020
【図１９】
2008173019.tif 000021
【図２０】
2008173019.tif 000022
【図２１】
2008173019.tif 000023